(57)【要約】      （修正有）【課題】玩具ピストル内のピストンとドローバーを駆動させる玩具ピストルの伝動ギアを提供する。【解決手段】伝動ギア２０は主としてギア本体２１を含み、ギア本体にはピストンに当接する接合トーラスを有し、接合トーラスには少なくともピストンに噛み合わせて動かすための二区間の歯形アーク区間２１２、２１３を有すると共に、接合トーラスにはこの二区間の歯形アーク区間を隔てた二区間の解除アーク区間２１４、２１５を設け、その他、ギア本体の片側の端にさらにカム２２を結合させ、カムには二個の引きピン２２１、２２２を設けて、ドローバー４０を移動させ、各伝動ギアが一回転するたびに、シリンダー１０とドローバーは二回の回転動作を完了することで、玩具ピストルの引き金を引く動作効率を高めることができる。【選択図】図５Ａ
0003139943.tif 000002
【実用新案登録請求の範囲】
【請求項１】
玩具ピストル内のピストンとドローバーを駆動させる玩具ピストルの伝動ギアであって、
ピストンに当接する接合トーラスを有し、前記接合トーラスには少なくとも第一歯形アーク区間と第二歯形アーク区間を含み、前記第一、第二歯形アーク区間はそれぞれ前記ピストンに噛み合わせて伝動する複数の噛み込みギアを有し、さらに前記接合トーラスに前記第一、第二歯形アーク区間を隔てた第一解除アーク区間と第二解除アーク区間を設けたギア本体と、
前記ドローバーを移動させるための前記ギア本体片側の端に設けた第一引きピンと第二引きピンからなることを特徴とする玩具ピストルの伝動ギア。
【請求項２】
前記第一、第二歯形アーク区間に同数の噛み込みギアを設けていることを特徴とする請求項1に記載する玩具ピストルの伝動ギア。
【請求項３】
前記第一歯形アーク区間には先端部と端末部を有し、且つ前記第一引きピンを先端部に対応する位置に設けることを特徴とする請求項1に記載する玩具ピストルの伝動ギア。
【請求項４】
前記第二歯形アーク区間には先端部と端末部を有し、且つ前記第二引きピンを先端部に対応する位置に設けることを特徴とする請求項1に記載する玩具ピストルの伝動ギア。
【請求項５】
前記ギア本体の端にカムを結合させ、前記カムが前記第一引きピンと前記第二引きピンを含むことを特徴とする請求項1に記載する玩具ピストルの伝動ギア。
【請求項６】
前記第一引きピンと前記第二引きピンはそれぞれ前記ギア本体片側の端の突起ピンに植設することを特徴とする請求項1に記載する玩具ピストルの伝動ギア。
【考案の詳細な説明】
【技術分野】
【０００１】
本考案は玩具ピストルの伝動ギアに関し、特に玩具ピストル内に設置して回転させて動かすと同時に玩具ピストル内のシリンダーとドローバーの伝動ギアを駆動させることに関する。
【背景技術】
【０００２】
図１、２で示すように、従来の空気圧で動く玩具ピストルは主にピストル本体内に設置されたシリンダー１０を含み、シリンダー１０はシリンダーチューブ１１を含み、シリンダーチューブ１１内には底辺にラック１２１を具備したピストン１２を嵌め込み、ラック１２１はシリンダーチューブ１１外部に露出させてギアセットを通じて動かし、シリンダーチューブ１１に対向してピストン運動をする。
【０００３】
前記ギアセットはさらにモーターで駆動する駆動ギア、方向転換ギアおよびピストン筒１２と噛合わすエンド・ギア１３を含み、エンド・ギア１３は不完全な半ギアリング設計で、エンド・ギア１３の歯を有する部分でピストン筒１２底辺のラック１２１と噛み合わせて動かし、歯のない部分でラックから解除することで、ピストン筒１２を動かして吸気と排気を繰り返す目的を達する。
【０００４】
図からも分かるように、エンド・ギア１３の片側にさらに突起ピン１３１を設けて、突起ピン１３１は、エンド・ギア１３がモーターで駆動されるにつれて同時回転すると共に、弾丸装填を制御するドロ−バー１４に対して回転移動作用を起こす。
【０００５】
さらに具体的に述べると、エンド・ギア１３が一回転するたびに、ピストン筒１２とドロ−バー１４を動かして一回の回転動作を完了させる。
【０００６】
玩具ピストルの引き金を引く動作効率を高めるために可能な方法は、さらに高速で回転するモーターに改めるか、若しくはボルトの高い電池にかえて達成させるかを含む。
【０００７】
然るに、前記方法を採用すると、それにマッチした玩具ピストル内の部品を同時に交換しなければならいのでコスト高となる。だが、長年の間業者やプレーヤーはこの問題に効果的な解決策を打ち出せずにいる。
【考案の開示】
【考案が解決しようとする課題】
【０００８】
これに鑑みて、本考案の主たる目的は、玩具ピストルの引き金を引く動作効率を高めることができる解決策を提供することにあり、それによって玩具ピストルをいっそう経済的で実益を伴った方法で、引き金を引く動作効率を高めるという目的が達成される。
【課題を解決するための手段】
【０００９】
これに基づいて、本考案はピストンとドローバーを動かすための伝動ギアに改良を加え、伝動ギアで上記目的を達成するが、前記伝動ギアは、ピストンに当接する接合トーラスを有し、前記接合トーラスには少なくとも第一歯形アーク区間と第二歯形アーク区間を含み、前記第一、第二歯形アーク区間はそれぞれ前記ピストンに噛み合わせて伝動する複数の噛み込みギアを有し、また前記接合トーラスには前記第一、第二歯形アーク区間を隔てた第一解除アーク区間と第二解除アーク区間を設けたギア本体と、前記ドローバーを移動させるための前記ギア本体片側の端に設けた第一引きピンと第二引きピンからなる。
【考案の効果】
【００１０】
こうした構成により、前記伝動ギアを玩具ピストルに応用して使用すると、伝動ギアが一回転するたびに、ピストンとドロ−バーを動かして二回の回転動作を完了することができ、従来の伝動ギアが一回転するたびにピストンとドロ−バーを動かして一回の回転動作しかできないのに比べ、玩具ピストルの引き金を引く動作効率を大幅に上昇させることができる。
【考案を実施するための最良の形態】
【００１１】
（実施例）
本考案の技術内容及び詳細説明に関して、ここに図面と照合して下記に説明する。
【００１２】
まず図３を参照すると、図は本考案の伝動ギアの正面図で、本考案の伝動ギア２０はギア本体２１を含み、ギア本体２１はモーター（図示せず）によって動いて回転する。ギア本体２１はピストンに当接する接合トーラス２１１を有し、接合トーラス２１１には少なくとも互いに一定の距離を隔てた第一歯形アーク区間２１２と第二歯形アーク区間２１３を含み、第一、第二歯形アーク区間２１２、２１３はそれぞれピストンに噛み合わせて伝動する複数の噛み込みギア２１２１、２１３１を有する。
【００１３】
接合トーラス２１１にはこのほかに、第一、第二歯形アーク区間２１２、２１３の間に設けた第一解除アーク区間２１４と第二解除アーク区間２１５を設けるが、第一、第二解除アーク区間２１４、２１５は前記の噛み込みギアのない滑らかな表面である。
【００１４】
上記の説明により、ギア本体２１の接合トーラス２１１にはずらして設置した二区間、つまり噛み込みギア２１２１、２１３１のあるアーク区間の二区間並びに噛み込みギアのないアーク区間の二区間を含む。第一、第二歯形アーク区間２１２、２１３には同等の数の噛み込みギア２１２１、２１３１を設けて、また第一、第二解除アーク区間２１４、２１５も同様な長さの円弧を有することが分かる。
【００１５】
このほか、ギア本体２１の片側の端にカム２２を結合させ、カム２２には第一と第二引きピン２２１、２２２を設け、第一引きピン２２１は第一歯形アーク区間２１２の先端部に対応する前後適当な位置に設け、第二引きピン２２２は第二歯形アーク区間２１３の先端部に対応する前後適当な位置に設ける。
【００１６】
実施の際は、図４で示すように、第一引きピン２２１’と前記第二引きピン２２２’もそれぞれギア本体２１片側の端の突起ピンに植設することができる。
【００１７】
ギア本体２１も端の面にそれぞれ二個の第一と第二引きピンを植設することができる。
【００１８】
上記の説明から、伝動ギア２０は同時に二組の歯形アーク区間、解除アーク区間と引きピンを含む構造設計であることが分かる。
【００１９】
図５A乃至５Dは本考案の伝動ギアを玩具ピストル内に使用して、玩具ピストル内のピストンとドローバーを駆動した使用時動作概略図である。まず図５A及び図５Bに従って、伝動ギア２０はピストン筒３０下辺に当接し、第一、第二歯形アーク区間２１２、２１３に設けた噛み込みギア２１２１、２１３１はピストン筒３０の下辺に設けたラック３１と互いに噛合わせ、さらに伝動ギア２０をピストン筒３０に噛合わせて動かすことができる。このほか、伝動ギア２０はドローバー４０の片側に位置し、ドローバー４０が伝動ギア２０をキャッチする引きピン２２１、２２２を移動させることができる。
【００２０】
伝動ギア２０が駆動することによって図面で示した時計と逆周りの方向に回転し始めると、伝動ギア２０はまず第一歯形アーク区間２１２でピストン筒３０のラック３１に噛み合せ、さらにピストン筒３０を図面左側方向に平行移動させる。これより先に、伝動ギア２０の第一引きピン２２１は既にドローバー４０をプッシュする動力受けユニット４１と接触すると共に、ドローバー４０を同様に図面左側方向に移動させ始め、引続き動力受けユニット４１が第一引きピン２２１の移動経路から離れるまで解除せず、ドローバー４０は動力受けユニット４１が第一引きピン２２１の移動経路から離れてから、図５Cに示すように、スプリング（図示せず）のリセットを利用して図面右側方向に向かってリターンする。
【００２１】
前記第一引きピン２２１の動力受けユニット４１に対しての移動作用は、伝動ギア２０がピストン筒３０と噛合わせ関係を維持しているプロセスにおいて完了する。伝動ギア２０が回転して第一解除アーク区間２１４がラック３１に対応すると、ピストン筒３０は伝動ギア２０の噛合わせ関係を解除してスプリング部材５０によって図面右側方向にリターンする。
【００２２】
その後図５Dに示すように、伝動ギア１０が回転して第二歯形アーク区間２１３がピストン筒３０のラック３１に噛合うと、ピストン筒３０は再び図面左側方向に平行移動する。同様にして、これより先に、伝動ギア１０も第二引きピン２２２によってドローバー４０の動力受けユニット４１をプッシュして動かし、ドローバー４０は再度図面左側方向に平行移動すると共に、ドローバー４０は動力受けユニット４１が第二引きピン２２２の移動経路を離れた後再びリターンする。そして伝動ギア２０が回転して第二解除アーク区間２１５がラック３１に対応すると、ピストン筒３０は再び図５Aで示した状態に戻るのである。
【００２３】
以上の点から伝動ギア２０が一回転すると、シリンダーのピストン筒３０とドローバー４０が二回の回転動作を完了する、換言すると、玩具ピストルが本考案の伝動ギア２０を採用すると、同様な回転速度でピストン筒３０とドローバー４０は回転動作をさらに多く回数をこなすことにより、玩具ピストルの引き金を引く動作効率を高められることが分かる。
【００２４】
本考案が提示した伝動ギア２０は同時に二組の歯形アーク区間、解除アーク区間及び引きピンを含んだ構造設計であることは取り上げる価値がある。実施の際、伝動ギア２０は実際のニーズに応じて歯形アーク区間、解除アーク区間及び引きピンの数量を増やすことが可能である。
【００２５】
このほか、図面で提示した第一、第二引きピン２２１、２２２はそれぞれ前記第一、第二歯形アーク区間２１２、２１３に対応する先端部の前に設け、実施時に第一、第二引きピン２２１、２２２は図面で示した特定位置に設けるとは限らず、その所在位置は第一、第二歯形アーク区間２１２、２１３の先端部に近い位置にありさえすればよく、何れも本考案の許容範囲内である。
【００２６】
以上の記述は本考案の好ましい実施例に過ぎず、これをもって本考案の実施範囲を限定するものではなく、およそ本実用新案登録請求の範囲において行った均等な変更若しくは修正についても、全て本実用新案登録請求の範囲内とする。
【図面の簡単な説明】
【００２７】
【図１】従来の玩具ピストル内部の伝動構造概略図である。
【図２】図１に示した伝動構造の動作概略図である。
【図３】本考案の伝動ギアの正面図である。
【図４】本考案の伝動ギアの別途実施例の構造概略図である。
【図５Ａ】本考案の伝動ギアを使用した際の動作概略図である。
【図５Ｂ】本考案の伝動ギアを使用した際の動作概略図である。
【図５Ｃ】本考案の伝動ギアを使用した際の動作概略図である。
【図５Ｄ】本考案の伝動ギアを使用した際の動作概略図である。
【符号の説明】
【００２８】
１０            シリンダー
１１            シリンダーチューブ
１２            ピストン筒
１２１            ラック
１３            エンド・ギア
１３１            突起ピン
１４            ドロ−バー
２０            伝動ギア
２１            ギア本体
２１１            接合トーラス
２１２            第一歯形アーク区間
２１２１            噛み込みギア
２１３            第二歯形アーク区間
２１３１            噛み込みギア
２１４            第一解除アーク区間
２１５            第二解除アーク区間
２２            カム
２２１、２２１’  第一引きピン
２２２、２２２’  第二引きピン
３０            ピストン筒
３１            ラック
４０            ドロ−バー
４１            動力受けユニット
５０            スプリング部材
【図１】
0003139943.tif 000003
【図２】
0003139943.tif 000004
【図３】
0003139943.tif 000005
【図４】
0003139943.tif 000006
【図５Ａ】
0003139943.tif 000007
【図５Ｂ】
0003139943.tif 000008
【図５Ｃ】
0003139943.tif 000009
【図５Ｄ】
0003139943.tif 000010